Podtech/llm-jp-corpus-v4-ja_patent huggingface dataset:
(57)【要約】【課題】チューブ容器の内側を、軟質合成樹脂からなる内容器で二重にすることにより残りの固形物を、最後まで取り除くことが出来る脱着分別式軟質チューブ容器を提供する。【解決手段】チューブ容器（１）の内側に、同形状の軟質合成樹脂よりなる内容器（２）を重ね合わせ、取り出し口にリング（３）の輪を取付けキャップ（４）をはずし、リングの輪を回転させながら引っ張り出すことによってチューブ容器（１）と側面の軟質合成樹脂よりなる内容器（２）が離れ、開口部（６）より外に排出し残った固形物（５）を取り出し最後まで使い切ることが出来る。チューブ容器（１）は洗うことなく資源回収に出すことが出来ることを特徴とする。【選択図】　　図１
2004018113.tif 000002
【特許請求の範囲】
【請求項１】
チューブ容器（１）の内側に、合成樹脂からなりチューブ容器（１）と同形状を有する軟質合成樹脂よりなる内容器（２）を重ね合わせ、軟質合成樹脂よりなる内容器（２）の開口部（６）にリング（３）を設けた脱着分別式軟質チューブ容器。
【発明の詳細な説明】
【０００１】
【発明の属する技術分野】
この発明は、例えばケチャップチューブ容器のように、市販の各種チューブ容器の使用後の、残った固形物をきれいに取り除き、残った固形物は、使い切ることが出来、またチューブ容器は洗うことなく、資源回収に出せるように、内側の内容器を脱着式にして簡単に分別できるようにした脱着分別式軟質チューブ容器に関するものである。
【０００２】
【従来の技術】
従来のチューブ容器は、使用後の残った固形物は、チューブ容器本体をハサミで切り裂いて残りの固形物をスプーンなどで取り除くことしか出来なかった。
【０００３】
【発明が解決しようとする課題】
これは次のような欠点があった。
（イ）従来のチューブ容器は、最後まできれいに固形物を取り除くことが出来ない。
（ロ）固形物が残っているため資源回収として出せない。
本発明は、以上の欠点を解決するためになされたものである。
【０００４】
【課題を解決するための手段】
チューブ容器（１）の内面に同形状の軟質合成樹脂よりなる内容器（２）を重ね合わせ、軟質合成樹脂よりなる内容器（２）の開口部（６）にリング（３）を設ける。
【０００５】
【発明の実施の形態】
以下、本発明の実施の形態について説明する。
（イ）断面が略楕円状の袋状態からなるチューブ容器（１）の開口部（６）表面にネジ部（７）を設け、核ネジ部（７）で着脱自在にする蓋（４）を設ける。
（ロ）チューブ容器（１）と同形状でかつ胴系及び高さを小型にしてチューブ容器（１）に収納に収容可能とする軟質合成樹脂よりなる内容器（２）を、チューブ容器（１）の内側に着脱自由に設ける。
（ハ）軟質合成樹脂よりなる内容器（２）は、本体が軟質合成樹脂からなり、内容器（２）の開口部（６）にリング（３）を設ける。
（二）軟質合成樹脂よりなる内容器（２）の胴体部表面にラセン状のねじれ部（８）を設ける。
本発明は、以上の構成から成り、本発明を使用するときは、容器の内部が使用済みで空になったとき、内部に固形物（５）が残る状態になる。
チューブ容器（１）の蓋（４）を外し、リング（３）を指で持って回転させる。リング（３）に接続する軟質合成樹脂よりなる内容器（２）は、本体表面のラセン状のねじれ部（８）により、軟質合成樹脂よりなる内容器（２）は、ねじれ現象を起こして縮小し、チューブ容器（１）の開口部（６）より外に排出できる。
【０００６】
【発明の効果】
本発明を使用することにより、残った固形物を無駄なく使い切ることが出来てしかも簡単に処分することが出来る。元のチューブ容器は洗うことなく資源回収に役立てられ各種のチューブ容器及びプラスチック容器に対応出来る。
【図面の簡単な説明】
【図１】本発明の斜視図である。
【図２】本発明の使用状態を示す断面図である。
【図３】本発明の実施例を示す斜視図である。
【図４】本発明の実施例を示す斜視図である。
【図５】本発明の実施例を示す斜視図である。
【図６】本発明の実施例を示す斜視図である。
【符号の説明】
１　チューブ容器
２　内容器
３　リング
４　蓋
５　固形物
６　開口部
７　ネジ部
８　ねじれ部
【図１】
2004018113.tif 000003
【図２】
2004018113.tif 000004
【図３】
2004018113.tif 000005
【図４】
2004018113.tif 000006
【図５】
2004018113.tif 000007
【図６】
2004018113.tif 000008
(57)【要約】【課題】従来の空気を流入した複数の袋を持つ逆止弁を付けたシート状梱包材があるが、長期保存に難点があり、しかも逆止弁を組み込むには高価な生産設備や高度な生産技術が必要であり、価格が高く作業工程が多く問題があった。逆止弁を付けるとその構造から最小化に限度があり、柔軟性にかける欠点があった。【解決手段】本発明は逆止弁を使用せずに複数の単独袋を形成するシート１が可能で、単独袋の入口４と共通の流入通路７との間に絞り込み遮断通路帯２を儲け、ここを止めることにより複数の単独袋が出来るので、高価な生産設備が必要とせず、価格は安価で製造方法も取り扱いも簡単であり、逆止弁を使用しないので最小化が容易で柔軟性に優れ梱包及び緩衝材としての役割を最大限発揮できる。又、１年２年という長期保存に耐え、再度の利用も可能で経済的効果は絶大である。【選択図】　図１
2004018112.tif 000002
【特許請求の範囲】
【請求項１】
複数に区切られた気体及び流体袋の入口と共通の流入通路との間に絞り込んだ細い流入通路又は複数の通路を儲けたシートで、この通路帯を遮断するシステム
【請求項２】
複数に区切られた気体及び流体袋の入口と共通の流入通路との間のシートを折りたたんで外側から止め具で固定する遮断システム
【請求項３】
丸棒でシートを圧入して挟み込んだ窪みと窪みの間に突起物をもうけたシート止め具
【発明の詳細な説明】
【０００１】
図１本発明は気体流体の流入口６より挿入し、２枚のポリエチレン・ナイロン等を熱で溶着により複数に区切って袋にしたシート１で気体流体挿入口６より気体流体を送り込むシステムで、最大の特徴は共通の流入通路７と各単独袋５の入口４との間に絞り込んだ通路又は複数の分散通路を儲けて気体を流入した時の膨らみを最小限に押さえて、その絞り込んだ通路帯２の遮断通路３を横切るように熱で遮断するか窪みの付いた器具にシートを挟み込んで丸棒の樹脂等で加圧して窪みに入れ込み遮断すれば複数の気体流体袋が出来るシステムである。
図２はシートを挟んで止めるプラスチックの止め具の断面図で遮断通路帯２の部分を気体挿入後二つに折り曲げられたシート１０をシート挟み受け口９とシート挟み加圧側８との間に入れて上部加圧を掛けてシート受け口９にセットすれば固定されて複数の密封単独袋が出来る。
３図は２連のシート止め具の断面図で、２連シート挟み本体１５に真ん中に突起物１２を儲け気体挿入後二つのシート止め樹脂棒１１で、シート上部１３とシーと下部１４を挟み込んで、丸棒１１を圧入してシートを固定する。
【０００２】
従来のもでは、逆止弁を利用した気体流体を流入した複数のシート状梱包材があるが逆止弁では１年２年の長期保存維持は困難で長期には適さない事や、逆止弁を一つ一つ組み込むには高価な生産設備と高度な生産技術が必要であり、その結果製品の価格は高く製造作業工程が掛かる欠点があり更に構造上の問題で袋の幅を狭く出来ないため最小化が難しく柔軟性に欠ける問題がある。
【０００３】
本発明は従来の逆止弁を利用した様々な欠点を解決した考案で、逆止弁を使用せずに複数の単独袋を形成し、弁を使用しないので高価な生産設備と高度な技術を必要とせず簡単な製造設備で出来る。従って製品の価格も安価であり密封式なので長期保存維持ができる画期的な方法である。更に弁がないので袋の幅は自由自在で最小化が可能であり柔軟性のある梱包シートや緩衝材も出来る。
【０００４】
逆止弁を利用した梱包シートではいったん流入した気体は構造上抜くことが出来ないためやり直し不可であるが、本発明では圧入した樹脂棒を引き抜けば再度使用が可能であり無駄をださないで合理化に寄与出来る。
【０００５】
図３のシート止め具は２連の真ん中に突起物を儲け両サイドの圧入により中央の突起物に圧力が掛かかることにより、シートの密封効果を高める役割を持つ。
【０００６】
図２は絞り込み遮断通路帯２を折り曲げて挟むので折り曲げ効果と遮断通路帯がダブルで止められる事で遮断効果が高く、共通の流入通路をにがしているので作業効率が極めていい長所がある。
【図面の簡単な説明】
【図１】２枚のポリエチレン・ナイロン等を熱で間仕切りされたシート袋
【図２】２枚に折り畳んだシートを挟み込んで固定するための止め具断面図
【図３】２連シート挟み止め具で真ん中に突起物を付けた止め具断面図
【符号の説明】
１．複数区切りシート袋本体　　　１１．シート止め樹脂棒
２．遮断通路帯　　　　　　　　　１２．２連中央突起物
３．遮断通路　　　　　　　　　　１３．シート上部
４．単独袋の入口　　　　　　　　１４．シート下部
５．区切られた単独袋　　　　　　１５．２連シート挟み本体
６．気体流体挿入口
７．共通の流入通路
８．シート挟み加圧側
９．シート挟み受け口
１０．二つに折り曲げられたシート
【図１】
2004018112.tif 000003
【図２】
2004018112.tif 000004
【図３】
2004018112.tif 000005
(57)【要約】【課題】ダイレクトメールの発送で商品サンプルも一緒に送付したいとき、従来は手作業によってしか、サンプルの封入作業が出来なかったがこれを、メール・インサーターマシンを応用して、サンプルも一緒に封入できないかと考えてなされたものである。【解決手段】サンプルを収納したケースを図のように設置して、ケースの下段の裏面にサンプルを排出する開口部を設け、下段正面にサンプルを押し出す突起物が通る穴を設ける。サンプルを押し出す突起物は、ちょうど封筒が口を開けて、カタログが封筒内に入ろうとするタイミングに合わせて、動くように設定し取り付ける。【選択図】　図１
2004018111.tif 000002
【特許請求の範囲】
【請求項１】
鞘状のケースの中にサンプルを収納し、このケースの下段からサンプルを１個ずつ排出し封筒内に、カタログ等と一緒にサンプルを封入する装置。
【発明の詳細な説明】
【０００１】
【発明の属する技術分野】
この発明は、メール・インサーターマシンで、封筒にカタログ等が封入される所定の位置において、固形のサンプル等も同時に封入できるようにしたサンプル封入補助装置に関するものである。
【０００２】
【従来の技術】
従来、メール・インサーターマシンは、カタログ等のものを封入するだけの装置として、作られているもので、サンプルなどの固形のものを封入するようには、作られていなかった。
【０００３】
【発明が解決しようとする課題】
ダイレクトメールの発送で、サンプルを希望する顧客もあり、従来は、手作業で、サンプルの封入を行っていたが、メール・インサーターマシンの補助装置として、効率的に封入できないかと考えてなされたものである。
【０００４】
【課題を解決するための手段】
鞘状のケース（１）は、図のようにサンプル（５）を収納し、サンプル（５）は、自然に自らの重みで、ケースの下のほうに誘導されて落ちる。
ケースの下段は、底板でふさがれている状態であるために、サンプル（５）は、そこで止まる。ケースの下段の裏面に、サンプルが通る穴（２）を開け、ケースの下段正面に、サンプルを押し出すための突起物が通る穴（３）を設ける。
サンプル（５）を押し出すための突起物（４）は、図のように、メール・インサーターマシンの駆動部品（８）の動きを利用して、丁度、封筒（６）が口をあけてカタログ（７）が封筒内に入ろうとする瞬間の時に、動くように設定し、取り付ける。
このサンプル（５）を押し出す突起物（４）の動きを制御するものは，センサーを応用してマグネットが働き、突起物を押し出すようにするなど、他の方法でも差し支えない。
本発明は、以上のような構成よりなるメール・インサーターマシン用のサンプル封入補助装置である。
【発明の実施の形態】
以下、本発明の実施の形態について説明する。
（イ）サンプルを収納する鞘状のケース（１）は、サンプル（５）を補給し易いように上部で横向きになっている。そして、ケース（１）の下段には底板があり、サンプルはケース（１）の底で留まる。ケース（１）の下段の裏側はサンプル（５）が丁度通れるほどの穴（２）をあけておく。そして、ケースの下段の表側は、サンプルを押し出すための突起物（４）の先端が通れる穴（３）があいている。
（ロ）サンプル（５）を押し出す突起物（４）は、メール・インサーターマシンの駆動部品（８）で、丁度封筒（６）が口をあけて、カタログ（７）が封筒（６）内に入ろうとする瞬間に、２０度くらい回転して止まり、また元の位置に復帰するという動きをする、丸棒（８）に図のように取り付ける。
以上のように、構成されたメール・インサーターマシン用サンプル封入補助装置によって、カタログ等と一緒にサンプルを１個ずつ的確に封入することが出来る。
【０００６】
【発明の効果】
本発明は、以上のような構造で、今まで手作業によってしか封入が出来なかったサンプルの封入作業を、メール・インサーターマシンを使って効率よく封入できる。
【０００７】
【図面の簡単な説明】
【図１】本発明の斜視図である。
【図２】本発明の側面図である。
【符号の説明】
（１）はサンプルを収納するケース。（２）はサンプルを排出する開口部。（３）はサンプルを押し出す突起物の通る穴。（４）はサンプルを押し出す突起物。（５）はサンプル。（６）は封筒。（７）はカタログ等。（８）はメール・インサーターマシンの駆動部品。
【図１】
2004018111.tif 000003
【図２】
2004018111.tif 000004
(57)【要約】【課題】印刷用紙の幅方向を規整する前後の用紙ガイド備える用紙ホッパにおいて、前後の用紙ガイドのスライド機構を容易化し、低価格の用紙ホッパを提供することを課題とする。【解決手段】印刷用紙の用紙走行幅方向を規制する一対の用紙ガイドを有する用紙ホッパを、用紙ガイドと一体となるラックガイドが上下に配され、一個の軸の上下に固定されたギアにより同期して動くように構成した。【選択図】　　　　　図２
2004018158.tif 000002
【特許請求の範囲】
【請求項１】
印刷用紙の用紙走行幅方向を規制する一対の用紙ガイドを有する用紙ホッパにおいて、用紙ガイドと一体となるラックガイドが上下に配され、一個の軸の上下に固定されたギアにより同期して動くように構成ししたことを特徴とするプリンタの用紙ホッパ。
【発明の詳細な説明】
【０００１】
【発明の属する技術分野】
本発明は、用紙幅方向を規制する、前後の幅調整可能な用紙ガイドを備えたプリンタの用紙ホッパに関する。
【０００２】
【従来の技術】
以下、プリンタに用いられている前後の用紙ガイドを備えた用紙ホッパの機構を図１に例示して従来技術を説明する。
【０００３】
平板状の用紙ガイド１はスライドラック２に固定され、ガイドピン６にそって矢印方向に移動可能となっている。同様に用紙ガイド４はスライドラック５に固定され、ガイドピン６にそって矢印方向に移動可能であり、センタギア７を中心に用紙ガイド１と対向する位置に設置されている。用紙幅の変化に伴い用紙ガイド１、４の位置は調整されるが、センタギア７により、印刷用紙を常に中央に規制する構造となっている。
【０００４】
用紙ガイド１の上部には倒れ防止の目的でラックが設けられ、ラックギア８が噛み合っている。ラックギア８は下側のスライドラック２に設けられたラックに噛み合うラックギア８と軸３により一体構造となっている為、用紙ガイド１の上部の倒れは規制されている。同様に用紙ガイド４も用紙ガイド１と同じ構造となっており上部の倒れは規制されている。
【０００５】
用紙幅を規制後、用紙ガイド１、４は固定される（固定方法は図示せず）。
【０００６】
【発明が解決しようとする課題】
一般に、印刷品質の確保には印刷用紙の位置精度が重要である。従来技術のラック構造では前後二組の軸とギア、さらにセンタギアを必要とする為、印刷用紙の位置精度を確保するのが困難であり、用紙の位置精度を確保するために個々の部品に高精度が要求され高価となっている。本発明の目的は、上記の従来技術の欠点を解消し、高精度な部品を必要としない低価格な用紙ガイドを備えたプリンタの用紙ホッパを提供することにある。
【０００７】
【課題を解消するための手段】
上記の目的は、一組の軸とギアの対向位置に前後の用紙ガイドを結合出来るスライド可能なラックを設け、用紙ガイドの上部、下部をラックに固定する事により達成される。これにより、用紙ガイドの幅調整と倒れ防止の二つの機能を簡単な構成で実現することができる。
【０００８】
【発明の実施の形態】
以下、本発明の一例につき図面を用いて説明する。
図２は本発明による用紙ホッパ構造図を示す。
図２において、第１の用紙ガイド１０は下側をラック１１に、上側をラック１２に固定され、ガイドピン１３に沿って矢印方向に移動可能である。ラック１１及びラック１２にはそれぞれ小ラック１１ａ、小ラック１２ａが設けられており、対向するラックギア１４とギアシャフト１５は一体であり、移動は同期して行われる。
【０００９】
同様に第２の用紙ガイド１６は下側をラック１７に、上側をラック１８に固定され、ガイドピン１３に沿って矢印方向に移動可能である。　ラック１７、ラック１８にはそれぞれ小ラック１７ａ、小ラック１８ａが設けられており、対向するラックギア１４とギヤシャフト１５は一体であり移動は同期して行われる。
【００１０】
第１の用紙ガイド１０と第２の用紙ガイド１６はラック機構により反対方向に移動する為、異なる幅の印刷用紙も常に中央に規制される。
【００１１】
上記構造において、第１の用紙ガイド１０及び第２の用紙ガイド１６は、その上部をラックギア１４により保持されている小ラック１２、小ラック１８に固定されている為、倒れの発生は無い。
【００１２】
印刷用紙を規制後、第１の用紙ガイド１０と第２の用紙ガイド１６は固定される（固定方法は図示せず）。
【００１３】
【発明の効果】
以上述べたように本発明によれば、前後の用紙ガイドの上下を一個の軸の上下に固定されたギアにより同期して動くラックに固定する事により、用紙ホッパの構成部品は高精度の必要は無く、低価格な用紙ホッパを提供する事が出来る。
【図面の簡単な説明】
【図１】従来構造の用紙ガイドの概略斜視図
【図２】本発明の一例となる用紙ガイドの概略斜視図
【符号の説明】
１０、１６・・用紙ガイド、１１、１２、１７、１８・・小ラック、１４・・ラックギア、１５・・ギアシャフト。
【図１】
2004018158.tif 000003
【図２】
2004018158.tif 000004
(57)【要約】【課題】搾油が困難な松の種子において、添加溶剤や複雑な装置等を用いることなく、良質な松の実油を効率的に獲得する手段を提供する。【解決手段】松の種子の殻を破砕し、取り出した実６０±２０容量％と破砕した殻４０±２０容量％を混合して、これを７０℃〜１００℃に加熱された搾油機に投入し搾油する。また搾油機におけるシャフトないし移送部の外側に温度制御機能をもつ面状ヒーターを取り付ける。【特許請求の範囲】
【請求項１】
松の種子の殻を破砕し、取り出した実６０±２０容量％と破砕した殻４０±２０容量％を混合して、これを７０℃〜１００℃に加熱された搾油機に投入し搾油することを特徴とする松の種子を原料とする食用油の搾油法。
【請求項２】
搾油機におけるシャフトないし移送部の外側に温度制御機能をもつ面状ヒーターを取り付けて該材料を制御加熱する請求項１記載の松の種子を原料とする食用油の搾油法。
【発明の詳細な説明】
【０００１】
【発明の属する技術分野】
この発明は、松の種子に含まれる油脂成分を食用油として搾油する方法に関するものである。
【０００２】
【従来の技術】
一般に食用油の搾油機は一軸のエクスペラーと呼ばれるものが使用されているが、その際、搾油しようとする種子類を、その種類や成分組成などによりそれぞれ異なる適正温度に予め加熱してから、搾油機に投入するという方法が行なわれている。
【０００３】
その原料として用いられる種子類のなかでも、松毬内部にあって硬い殻をもつ松の種子内の実には甚だ有用な油成分が約６０％含まれているが、種子全体の約７０％を占める硬い殻を着けたままでは搾油できないため、これを割って中の白い実を取り出し、更にその油を抽出するためには、それ特有の高粘性対策としてヘキサン等の溶剤を混合したうえで高温に加熱したものを搾油機に投入し、搾油しているのが現状である。
【０００４】
【発明が解決しようとする課題】
しかしながら、松の種子から真に健康的な食用油を抽出するにあたって、合成品である溶媒などを用いることは決して望ましいことではなく、できればこれを使わずに搾油機のみの使用で搾油することが望まれている。
【０００５】
また松の種子は、豊作の時には中の実の油が多く、不作の時には中の実の油分が少なくなる傾向があり、また松の実の油は特に、搾油機に入れる前に８０℃〜９０℃に予め加熱すると、非常に酸化を起こしやすいという特性がある。
【０００６】
さらに松の白い実の成分は、その独特の性状から、他の種子類と同様に搾油機に入れても適切な温度が得られず、機械が空滑りしたりペースト状にしかならないため、思うように搾油できないという問題点があった。
【０００７】
従って本発明は、このような様々な問題点を克服して、食用油として良質な松の実油をより効率的に製造する手段を提供することを課題とする。
【０００８】
【課題を解決するための手段】
松の種子の殻を破砕し、取り出した実６０±２０容量％と破砕した殻４０±２０容量％を混合して、これを７０℃〜１００℃に加熱された搾油機に投入し搾油する。
【０００９】
ここにおける容量％の意味は、取り出した直後の実、又は２〜３個に分割した殻について、これらの多数を通常の状態で特別な力を加えることなく容器内に収容するときに容器内で要する空間の容積についてをいう。
【００１０】
このように搾油機の中に入れた実と殻の混合物は、機械のシャフト部分に押し出され、圧力が加えられるが、この部分は外気温等により温度が変動し、このままでは一定温度（搾油に望ましいのは８０〜９０℃）に保つことができない。そこで酸化しやすい松の実を予め加熱するのでなく、機械のシャフトからスクリューに移行する箇所の外側に面状ヒーターを取り付けて加熱する手段を、本発明者は既に別途特許出願済みであるが、それでも松の実の場合は含有水分量などが微妙に影響して一定の温度になりにくく、搾油に失敗しがちである。
【００１１】
そこで搾油機における投入材料のシャフトないし移送部の外側に温度制御機能をもつ面状ヒーターを取り付けて該材料（松の実と殻の混合物）を制御加熱するものとする。なおこの面状ヒーターは遠赤外線を多く放射するものが好ましい。
【００１２】
【作用】
このように松の種子を予め実と殻に分けて約６：４の比率にした混合物を搾油機に投入すると、それらはシャフトにより押し込まれエクスペラーシリンダーで奥の方へ移送されるとともに圧力が増し、ドストルと呼ばれる鉄又はステンレスの間から圧搾された油が抽出されることになる。
【００１３】
その際、松の実の中に含まれる水分と殻との摩擦熱を生じ、空滑りを防止して搾油できる状態となる。仮に松の実だけでは摩擦熱が足りず、空滑りしてペースト状にしかならず、また殻だけでも水分不足で搾油できない。すなわち前記の比率範囲で両者が混在しているときに十分な摩擦及び摩擦熱が発生し、更に外部からの制御された熱が加わって、適切な７０〜１００℃（８０〜９０℃）の搾油環境が達成される。
【００１４】
すなわち松の実油の場合は、温度、圧力、及び含有水分等が常に一定に保てないと搾油できないという難しい条件があるが、本発明の場合は自らの摩擦熱と外からの制御熱により、季節等により気温が変動しても搾油箇所は常に適切な搾油条件を維持することが容易にでき、また過剰加熱による品質劣化も防止することができる。
【００１５】
【発明の実施の形態】
松の種子の殻を破砕して中の実を取り出し、２〜３分割された殻２容量部と実３容量部を混合して、圧搾による搾油機（ダブルエクスペラー：富士文化Ｋ．Ｋ製）のホッパーより投入する。但しこの搾油機のエクスペラーシリンダーの外周部分を必要に応じ削り取り、そこに遠赤外線放射性面状ヒーターを巻き付ける。この面状ヒーターには温度調節装置とサーモスタット及び内部温度センサーとその表示モニターが接続されている。
【００１６】
このようにして搾油機を稼働させると、実と殻の混合物はシリンダー内を移行しドストルに至るまでに自らの摩擦熱で発熱し、昇温する。しかしながら外気温により昇温の度合いは異なるので、センサーにより示された内部温度に合わせて面状ヒーターの出力を調整し、常に８０〜９０℃になるように制御設定する。なお特に外気が低温の時は、９０〜１００℃に設定する。
【００１７】
このような環境のもとにドストルに至った投入混合物は、甚だ高効率に歩留り良く油と油粕に分離され、しかも得られた松の実油や油粕は共に酸化することなく不純物のない甚だ良質なものにすることができた。
【００１８】
【発明の効果】
このように本発明によれば、搾油が特に難しいとされる松の種子において、特別に複雑かつ高コストな装置を要することなく、また季節や設置場所などの外部環境にかかわらず、常に最良の搾油条件を与えて、甚だ良質で使用価値の高い松の実油とその副産物の油粕を効率的に無駄なく得ることができ、またその際に、有害な添加溶剤等の混合を一切要しないという効果がある。
(57)【要約】【課題】本発明は、乗客が乗る踏板とスカートガード間における安全性の向上、異物の侵入防止による乗客保護や火災防止面で優れた乗客コンベアの安全装置を提供する。【解決手段】エスカレーター１のスカートガード４に、一方の乗降床３から他方の乗降床にかけて配設され、スカートガード４側から踏板２の踏面側に向けて突出し、踏板２の両側部の注意標色と同系色に着色された基台８Ａと、この基台８Ａに植立されて踏板２側に突出する刷毛体８Ｂからなる安全装置８を設けた。【選択図】　図２
2004018268.tif 000002
【特許請求の範囲】
【請求項１】
一方の乗降床と他方の乗降床の間を循環移動し、その踏面の両側部に黄色系の注意標色を有する踏板と、この踏板の両側部にこの踏板と一定のすき間を隔てて配置されたスカートガード、内デッキカバーおよび欄干を備えた乗客コンベアにおいて、前記一方の乗降床から他方の乗降床にかけて配設され、前記スカートガード側から前記踏面側に向けて前記すき間を塞ぐように突出し、前記注意標色と同系色に着色された基台と、この基台に植立されて前記踏面の両側部を被うように突出する形の刷毛体とからなる安全装置を設けたことを特徴とする乗客コンベアの安全装置。
【発明の詳細な説明】
【０００１】
【発明の属する技術分野】
本発明は、エスカレーターや電動道路等の乗客コンベアの安全装置に関する。
【０００２】
【従来の技術】
従来、踏板とその側部に配置される欄干のスカートガード、内デッキカバー部分に安全装置を設ける例としては、例えば特公昭５５−１８２３５号公報に開示されているように乗降床付近において、欄干基部から踏板側に向けて突出するブラシ等の安全片を設ける構成が知られている。
【０００３】
【発明が解決しようとする課題】
最近、公共交通手段の発展とともに従来にも増して乗客コンベアの安全性の強化策と、煙草の火玉、定期券および搭乗券等の異物の機械内部への侵入防止策が求められている。この種要望は、公共性の強い用途ほど重要視され、安全性が高く、異物の侵入しない真に乗客保護を志向した安全装置が必要となっている。しかしながら、上記公知例は乗降床付近のみに限定した安全装置であり、乗客コンベアの全長に対して十分なる乗客保護を成し得なかった。
【０００４】
本発明の目的は、乗客が乗る踏板とスカートガード間における安全性の向上、異物の侵入防止による乗客保護や火災防止面で優れた乗客コンベアの安全装置を提供することにある。
【０００５】
【課題を解決するための手段】
上記目的を達成するために本発明は、一方の乗降床と他方の乗降床の間を循環移動し、その踏面の両側部に黄色系の注意標色を有する踏板と、この踏板の両側部にこの踏板と一定のすき間を隔てて配置されたスカートガード、内デッキカバーおよび欄干を備えた乗客コンベアにおいて、前記一方の乗降床から他方の乗降床にかけて配設され、前記スカートガード側から前記踏面側に向けて前記すき間を塞ぐように突出し、前記注意標色と同系色に着色された基台と、この基台に植立されて前記踏面の両側部を被うように突出する形の刷毛体とからなる安全装置を設けたのである。
【０００６】
上記構成の安全装置の存在によって、踏板とスカートガードとの間のすき間部分に対して乗客が目視的、物理的に近寄り難くして安全性を向上させる一方、煙草の火玉や搭乗券などの異物が侵入しないように作用する多目的の効果を発揮することができる。
【０００７】
【発明の実施の形態】
以下、本発明の乗客コンベアの形態を図１および図２に示すエスカレーターに基づいて説明する。
【０００８】
図１は、エスカレーター１の要部を示した斜視図、図２は図１のＭ−Ｍ線に沿う断面図である。図において、エスカレーター１は、多数連結されて循環移動し、その踏面の両側部に安全対策としての黄色系（黄や黄赤色）の注意標色２Ａを有する踏板２、踏板２に至る一方の乗降床３（他方の乗降床は図示省略）、踏板２の両側部に配置されたスカートガード４、内デッキカバー５、欄干パネル６などからなる欄干７を備えている。そして、一般には踏板２とスカートガード４との間には５ｍｍ程度のすき間Ｇが存在しており、このすき間Ｇに靴や衣服が引き込まれる人身事故や火玉、定期券および搭乗券等の異物が侵入し、火災、紛失、機械故障などを招くことが知られている。
【０００９】
このため、上記公知例では乗降床３付近のみに限定して欄干基部から踏板側に向けて突出するブラシ等の安全片を突出させた訳であるが、これでは乗降床以外の長い範囲（踏板走行路）における安全面、保護面の効果がないために、本発明では図示の構成の改善施策を付加してある。
【００１０】
改善策の一つは、安全装置の長手方向に特徴があり、安全装置８を一方の乗降床３から他方の乗降床にかけて踏板２の走行路全域に配置し、全ての部分で後述する安全効果と異物侵入防止効果を発揮する構成としたことである。
【００１１】
改善策の二つは、安全装置８の色彩と形状構成に特徴があり、安全装置８を構成する基台８Ａは、踏板２の両側部に設けられた黄や黄赤色の注意標色２Ａと同系色に着色されてすき間Ｇへの乗客の接近を目視的に阻止する機能を備えている。また、基台８Ａは形状的にはすき間Ｇを垂直投影視的に塞ぐ、すなわち、通常５ｍｍ程度のすき間Ｇ寸法以上で注意標色２Ａの一部あるいは全部を被うようにスカートガード４から踏板２側に向けて長さＬだけ突出し、スカートガード４にビス等で固定された状態で一方の乗降床３から他方の乗降床にかけて配設されている形状構成となっている。さらに、基台８Ａの踏板２側に面する側部には、この基台８Ａに植立されて踏面の両側部を被うように突出する形の難燃性のある刷毛体８Ｂが長手方向に密に設けられている。
【００１２】
ここで、安全装置８を構成する基台８Ａの機能について説明すれば、この安全装置８を古いエスカレーターに対して追加的に装備した場合に、踏板２の両側部に設けられていた注意標色２Ａが乗客の目線から遮ぎられて折角の安全効果（すき間Ｇ部分への乗客の接近）を減殺するという不具合を補って新たな注意標色（基台８Ａ自体）の機能を持たせるものである。また、刷毛体８Ｂは、すき間Ｇをより完全に塞いでここへの煙草の火玉、定期券および搭乗券等の異物の機械内部への侵入防止を図り、火災、紛失、機械故障などを防ぐとともに、すき間Ｇ部分に接近せんとする乗客に対して触感による注意換起を行うものである。
【００１３】
なお、上記ではエスカレーター用の踏板２について説明したが、電動道路の場合も同様の構成とすることにより類似的効果を奏するものである。
【００１４】
【発明の効果】
以上説明したように本発明によれば、乗客が乗る踏板とスカートガード間における安全性の向上、異物の侵入防止による乗客保護や火災防止面で優れた乗客コンベアの安全装置を提供できる。
【図面の簡単な説明】
【図１】本発明による乗客コンベアの要部を示す斜視図。
【図２】図１のＭ−Ｍ線に沿う断面図。
【符号の説明】
１…エスカレーター（乗客コンベア）、２…踏板、４…スカートガード
５…内デッキカバー、８…安全装置、８Ａ…基台、８Ｂ…刷毛体
【図１】
2004018268.tif 000003
【図２】
2004018268.tif 000004
(57)【要約】【課題】本発明は、乗客が乗るステップとスカートガード間における安全性の向上、異物の侵入防止に優れた乗客コンベアの安全装置を提供する。【解決手段】ステップ２と、ステップ２の上側にある内デッキカバー７との間に、内デッキカバー７の傾斜角θ１よりも大なる傾斜角θ２を有する刷毛体８Ｂと、この刷毛体８Ｂを植立し、スカートガード５に固設される基台８Ａとからなる安全装置８を設けた。【選択図】　図２
2004018267.tif 000002
【特許請求の範囲】
【請求項１】
無端状に連結されて移動するステップと、ステップの両側部に配置される欄干と、欄干を構成し、ステップとは一定のすき間を隔てて直立するスカートガードおよび欄干パネルと、スカートガードと欄干パネルの間を塞ぐために設けられ、欄干パネル側よりスカートガード側が低くなる傾斜角の斜面を有する内デッキカバーを備えた乗客コンベアにおいて、前記内デッキカバーと前記ステップとの間に、前記内デッキカバーの傾斜角よりも大なる傾斜角をもってスカートガード側からステップ側に向けて突出する刷毛体と、この刷毛体を植立し、前記スカートガードに固設される基台とからなる安全装置を設けたことを特徴とする乗客コンベアの安全装置。
【発明の詳細な説明】
【０００１】
【発明の属する技術分野】
本発明は、エスカレーターや電動道路等の乗客コンベアの安全装置に関する。
【０００２】
【従来の技術】
従来、ステップとその側部に配置される欄干のスカートガード、内デッキカバー部分に安全装置を設ける例としては、例えば特公昭５５−１８２３５号公報に開示されているように乗降床付近において、欄干基部からステップ側に向けて突出するブラシ等の安全片を設ける構成が知られている。
【０００３】
【発明が解決しようとする課題】
最近、公共交通手段の発展とともに従来にも増して乗客コンベアの安全性の強化策と、煙草の火玉、定期券および搭乗券等の異物の機械内部への侵入防止策が求められている。この種要望は、公共性の強い用途ほど重要視され、安全性が高く、異物の侵入しない真に乗客保護を志向した安全装置が必要となっているが、上記公知例は乗降床付近のみに限定した安全装置であり、十分なる乗客保護を成し得なかった。
【０００４】
本発明の目的は、乗客が乗るステップとスカートガード間における安全性の向上、異物侵入の確実な防止を図る乗客コンベアの安全装置を提供することにある。
【０００５】
【課題を解決するための手段】
上記目的を達成するために本発明の安全装置は、無端状に連結されて移動するステップと、ステップの両側部に配置される欄干と、欄干を構成し、ステップとは一定のすき間を隔てて直立するスカートガードおよび欄干パネルと、スカートガードと欄干パネルの間を塞ぐために設けられ、欄干パネル側よりスカートガード側が低くなる傾斜角を有する内デッキカバーを備えた乗客コンベアにおいて、前記内デッキカバーと前記ステップとの間に、前記内デッキカバーの傾斜角よりも大なる傾斜角をもってスカートガード側からステップ側に向けて突出する刷毛体と、この刷毛体を植立し、前記スカートガードに固設される基台とからなる安全装置を設けたのである。
【０００６】
上記構成の安全装置の存在によって、ステップとスカートガードとの間のすき間部分に目視的、物理的に近寄り難くして安全性を向上させる一方、火玉や搭乗券などの異物の侵入をより確実に防止するように作用する多目的の効果を発揮することができる。
【０００７】
【発明の実施の形態】
以下、本発明の乗客コンベアの形態を図１および図２に示すエスカレーターに基づいて説明する。
【０００８】
図１は、エスカレーター１の要部を示した斜視図、図２は図１のＭ−Ｍ線に沿う断面図である。図において、エスカレーター１は、無端状に連結されて移動するステップ２と、ステップ２に至る乗降床３、ステップ２の両側に配置される欄干４と、欄干４を構成し、ステップ２とは一般に５ｍｍ程度のすき間Ｇを隔てて直立するスカートガード５、欄干パネル６と、スカートガード５と欄干パネル６の間を塞ぐために設けられ、欄干パネル６側よりスカートガード５側が低くなる傾斜角θ１を有する内デッキカバー７が配置されている。ここで述べた構成は、公知のものであり、上記すき間Ｇに靴や衣服が引き込まれる人身事故や火玉、定期券および搭乗券などの異物が侵入し、火災、紛失、機械故障を招くことが知られている。
【０００９】
このため、上記公知例では乗降床３付近のみに限定して欄干基部からステップ側に向けて突出するブラシ等の安全片を突出させた訳であるが、これでは乗降床以外の長い範囲（ステップ走行路）における事故防止効果がないために、本発明では図示の構成の改善施策を付加してある。
【００１０】
改善策の一つは、安全装置の長手方向に特徴があり、安全装置８を一方の乗降床３から他方の乗降床（図示省略）にかけてステップ２の走行路全域に配置し、全ての部分で後述する安全効果と異物侵入防止効果を発揮する構成としたことである。
【００１１】
改善策の二つは、安全装置８の傾斜角度にあり、ステップ２とその上側の内デッキカバー７との間にビス等で固設される基台８Ａと、この基台８Ａに植立される刷毛体８Ｂのうち、特に刷毛体８Ｂの傾斜角θ２を内デッキカバー７の斜面の傾斜角θ１よりも大きい（ステップ２側が低い）角度に設定したものである。この傾斜角θ２の設定は、発明者の実験により実証したもので、例えば、図２の矢印Ｙのように定期券を落下させた場合、この定期券は、内デッキカバー７の傾斜面に衝突した後、刷毛体８Ｂに接触し、反すき間Ｇ側に着地することを確認しており、θ１＞θ２，θ１≒θ２よりも侵入防止の確実性が高いとの確証を得ている。そして、急角度（θ１＜θ２）にした分だけ、ステップ２との高さ間隔ｈを狭くする効果となり、この点も異物のすき間Ｇ部分への確実な侵入防止に寄与している。
【００１２】
以上のように、安全装置８によりすき間Ｇ部分を目視的、物理的に被い、この部分への人体の接近防止による安全性の向上、異物の侵入を確実防止を図るものである。
【００１３】
なお、安全装置８の刷毛体８Ｂは、難燃性のある材質として火玉による燃焼防止効果を持たせるのが望ましい。また、上記ではエスカレーター用のステップ２について説明したが、電動道路の場合も同様の構成とすることにより類似的効果を奏するものである。
【００１４】
【発明の効果】
以上説明したように本発明によれば、乗客が乗るステップとスカートガード間における安全性の向上、異物の侵入防止に優れた乗客コンベアの安全装置を提供できる。
【図面の簡単な説明】
【図１】本発明による乗客コンベアの要部を示す斜視図。
【図２】図１のＭ−Ｍ線に沿う断面図。
【符号の説明】
１・・・エスカレーター（乗客コンベア）、２・・・ステップ、４・・・欄干
５・・スカートガード、６・・・欄干パネル、７・・・内デッキカバー
８・・・安全装置、８Ａ・・・基台、８Ｂ・・・刷毛体
【図１】
2004018267.tif 000003
【図２】
2004018267.tif 000004
(57)【要約】【課題】両方向から途切れることなく紙材を引き裂くことができる引裂帯を提供する。【解決手段】多数の切目２が断続する２本の切目列１を並行させた紙材の引裂帯において、各切目列１の切目２は、基本部３の一端に外向部４を連設すると共に、外向部４の基端からやや離して内向部５を設けたものとし、対向する切目列１の切目２を互いに反対方向に向ける。引裂帯を引っ張る角度や速さが一定でなくても、対向する各切目列１において、手前の切目２から次の切目２へ裂目が繋がり、両方向から途切れることなく紙材を引き裂くことができる。【選択図】　図２
2004018083.tif 000002
【特許請求の範囲】
【請求項１】
多数の切目２が断続する２本の切目列１を並行させた紙材の引裂帯において、各切目列１の切目２は、基本部３の一端に外向部４を連設すると共に、外向部４の基端からやや離して内向部５を設けたものとし、対向する切目列１の切目２を互いに反対方向に向けたことを特徴とする紙材の引裂帯。
【発明の詳細な説明】
【０００１】
【発明の属する技術分野】
この発明は、紙箱等の開封手段として使用される引裂帯に関するものである。
【０００２】
【従来の技術】
例えば、菓子箱等の紙箱には、ジッパと呼ばれる引裂帯が設けられる場合があり、その一例として、図５に示すように、２本の切目列２１を並行させ、各切目列２１は、山形部２２の両端に跳上部２３を連設した切目２４が断続するものとし、隣り合う切目２４の跳上部２３同士を接近させたものが提案されている。
【０００３】
この引裂帯は、図６に示すように、いずれの方向から引き裂いても、手前の切目２４の跳上部２３から生じた裂目が次の切目２４の跳上部２３に達し、各切目列２１が連続して切れることを意図したものである。
【０００４】
【発明が解決しようとする課題】
しかしながら、引裂帯を引っ張る角度や速さは一定でないことから、上記引裂帯では、２本の切目列２１のうち、片側の切目列２１の裂目が逸れて次の切目２４まで繋がらず、破断が止まるトラブルが発生することがある。
【０００５】
そこで、この発明は、両方向から途切れることなく紙材を引き裂くことができる引裂帯を提供することを課題とする。
【０００６】
【課題を解決するための手段】
上記課題を解決するため、この発明は、多数の切目が断続する２本の切目列を並行させた紙材の引裂帯において、各切目列の切目は、基本部の一端に外向部を連設すると共に、外向部の基端からやや離して内向部を設けたものとし、対向する切目列の切目を互いに反対方向に向けたのである。
【０００７】
このようにすると、引裂帯を引っ張る角度や速さは一定でなくても、対向する各切目列において、手前の切目から次の切目へ裂目が繋がり、両方向から途切れることなく紙材を引き裂くことができる。
【０００８】
【発明の実施の形態】
以下、この発明の実施の形態を添付図面に基づいて説明する。
【０００９】
図１に示すように、この引裂帯は、並行する２本の切目列１のそれぞれにおいて、断続する切目２を、直線状の基本部３の一端に外向部４を連設すると共に、外向部４の基端からやや離して内向部５を設けたものとし、対向する切目列１の切目２を互いに反対方向に向けたものとなっている。
【００１０】
上記のような引裂帯を、素早く深い角度で引っ張ると、図２に示すように、いずれの方向から引き裂いても、Ａ側の切目列１では、手前の切目２の外向部４から次の切目２の基本部３へ裂目が繋がる。
【００１１】
一方、Ｂ側の切目列１では、手前の切目２の基本部３から次の切目２の外向部４へ裂目が繋がる。
【００１２】
また、上記引裂帯をゆっくり浅い角度で引っ張ると、図３に示すように、いずれの方向から引き裂いても、Ａ側の切目列１では、上記と同様、手前の切目２の外向部４から次の切目２の基本部３へ裂目が繋がる。
【００１３】
一方、Ｂ側の切目列１では、手前の切目２の基本部３から次の切目２の内向部５へ裂目が繋がり、さらに、内向部５から基本部３へ裂目が繋がる。
【００１４】
このように、上記引裂帯では、引っ張る角度や速さが一定でなくても、対向する各切目列１において、手前の切目２から次の切目２へ裂目が繋がるので、両方向から途切れることなく紙材を引き裂くことができる。
【００１５】
なお、図４に示すように、基本部３を、外向部４へかけて滑らかに連続するように湾曲させても、両方向から途切れることなく紙材を引き裂くことができる。
【００１６】
【発明の効果】
以上のように、この発明に係る引裂帯では、各切目列の切目を、基本部の一端に外向部及びやや離れた内向部を設けたものとし、対向する切目列を互いに反対方向に向けたので、引っ張る角度や速さが一定でなくても、切目間の裂目が繋がり、両方向から途切れることなく紙材を引き裂くことができる。
【図面の簡単な説明】
【図１】この発明に係る紙材の引裂帯の一実施形態を示す平面図
【図２】同上の速断過程を示す斜視図
【図３】同上の緩断過程を示す斜視図
【図４】同上の他の実施形態を示す平面図
【図５】従来の紙材の引裂帯の平面図
【図６】同上の切断過程を示す斜視図
【符号の説明】
１　切目列
２　切目
３　基本部
４　外向部
５　内向部
【図１】
2004018083.tif 000003
【図２】
2004018083.tif 000004
【図３】
2004018083.tif 000005
【図４】
2004018083.tif 000006
【図５】
2004018083.tif 000007
【図６】
2004018083.tif 000008
(57)【要約】【技術課題】各種スプレー、ポンプ、エアゾール容器類において、内部から内容物を噴霧又は吐出させるときに、マイナスイオンを効果的に発生させる。【解決手段】内容物が噴出する噴霧口３にマイナスイオン発生物質を練り込んで成形したチップ５を装着しておく。又は、内容物が吐出する吐出口の内面にマイナスイオン発生物質層を形成するか、又はこの吐出口又は噴霧口３を含むヘッド全体をマイナスイオン発生物質を練り込んだプラスチック樹脂で成形する。このようにすると、内容物が噴霧又は吐出するときの運動エネルギーにより効果的にマイナスイオンが発生する。【選択図】　　図２
2004018087.tif 000002
【特許請求の範囲】
【請求項１】
内容物が吐出又は噴霧する流路にマイナスイオン発生物質層を形成して成る容器。
【請求項２】
内容物の吐出口又は噴霧口にマイナスイオン発生チップを装着して成る容器。
【請求項３】
内容物の吐出口又は噴霧口を形成したヘッドをマイナスイオンを練り込んだプラスチック樹脂で成形して成る容器。
【発明の詳細な説明】
【０００１】
【発明の属する技術分野】
本発明は、スプレー又はポンプ又は圧力を用いて内容物を噴霧あるいは注出する時に、マイナスイオンを発生する容器に関する。
【０００２】
【従来の技術】
大気中において、マイナスイオンと称される静電圧が強くなったときに人は精神的、肉体的に非常に健康な状態が出ることが医学的に証明されている。また、マイナスイオンが動、植物の生育や病気の予防に効果があることも指摘されている。
【０００３】
【発明が解決しようとする課題】
本発明は、斯かる点に鑑みて提案されるものであって、吐出あるいは流出、あるいは噴霧時の運動エネルギーの作用で効果的にマイナスイオンを発生させることができるスプレー、ポンプ、エアゾールに代表される注出機能付の容器を提供するのが目的である。
【０００４】
【課題を解決するための手段】
上記目的を達成するため、請求項１に記載の発明においては、容器において、内容物が吐出又は噴霧する流路にマイナスイオン発生物質層を形成したことを特徴とするものである。
この構成によると、容器内から内容物が吐出又は噴霧するときに、この内容物の運動エネルギーがマイナスイオン発生物質に作用してマイナスイオンを発生させる。この結果、内容物を媒体としてあるいは吐出又は噴霧口からマイナスイオンが流出して人の健康に良い影響を及ぼすと共に、内容物にもマイナスイオンが作用して品質の向上を図ることができる。
【０００５】
更に、請求項２に記載の発明においては、容器において、内容物の吐出口又は噴霧口にマイナスイオン発生チップを装着したことを特徴とするものである。
この構成によると、マイナスイオン発生物質を吐出口に形成しやすい。
【０００６】
更に、請求項３に記載の発明においては、容器において、内容物の吐出口又は噴霧口を形成したヘッドをマイナスイオンを練り込んだプラスチック樹脂で成形したことを特徴とするものである。
この構成によると、マイナスイオン発生物質と吐出口（キャップ）を一体成形することができ、製作が容易となる。
【０００７】
【作用】
スプレーやポンプ、エアゾール容器等の吐出口や噴霧口から内容物が流出するときには、内容物に摩擦や渦流が発生し、このときの運動エネルギーにより、マイナスイオン発生物質からマイナスイオンが効果的に発生する。
【０００８】
【実施例】
図１は、香水容器に代表される各種スプレー容器のヘッド部分の正面図、図２はＡ−Ａ´線断面図であって、符号の１は容器１０に取り付けられたスプレーポンプ、２はスプレーポンプ１のヘッド、３は噴霧口であって、このヘッド２と噴霧口３の内部には、図２に示すように、内容物の流出路４、４ａが形成されていると共に噴霧口３には、マイナスイオンを発生する物質、例えば天然石である長石を微粉末化し、これを練り込んで成形したチップ５が嵌着されている。６は、容器１０に対応するスプレーポンプ１の取付部である。
【０００９】
実施例のチップ５は、噴霧口３の先端に嵌着しているが、ねじで嵌め込むようにしても良い。
次に、チップ５に代えて、ヘッド２全体を長石の微粉末を練り込んだプラスチック樹脂で一体成形するようにしても良い。あるいは、流出路４、４ａの内面又は容器１０の内面にマイナスイオン発生物質層を形成するようにしても良い。
【００１０】
上記実施例によると、ポンプ作用により容器１０内から内容物が吸引され、噴霧口３のチップ５を経由して噴霧する時、内容物の運動エネルギーがマイナスイオン発生物質に働き、マイナスイオンが発生する。
上記実施例のスプレー容器以外に、本発明は、エアゾール容器の噴霧口にマイナスイオンを発生するチップを装着して用いる場合も包含する。また、噴霧ではなく図３〜図５に示すように、ポンプ７の作用でシャンプー液のような内容物を汲み出す方式の容器にも本発明は実施化することができ、これらの例も本発明の技術的範囲内である。図３〜図５において、８はマイナスイオン発生物質を練り込んだプラスチック樹脂で成形されたポンプヘッド、８ａは吐出口、９はポンプ取付部である。
【００１１】
なお、上記実施例において、長石の微粉末は、塗材及び樹脂に対して２〜９重量％混合しているが、この混合率は、効果及び用途によって選択する。また、マイナスイオン発生物質としては長石以外に医王石等も利用可能であり、本発明において、このマイナスイオン発生物質は限定されない。
【００１２】
【発明の効果】
本発明は以上のように、各種容器において、内容物が吐出口するとき、あるいは噴霧口から噴霧するときに、この内容物の運動エネルギーでマイナスイオンを効果的に発生させることができる。この結果、身近なところで使用者に精神的、肉体的な効果を及ぼし、又内容物自体にも品質向上効果を及ぼすことができる。
【図面の簡単な説明】
【図１】スプレーの正面図。
【図２】Ａ−Ａ´線断面図。
【図３】汲み出しポンプの説明図。
【図４】ポンプの正面図。
【図５】Ｂ−Ｂ´線断面図。
【符号の説明】
１　スプレーポンプ
２　ヘッド
３　噴霧口
４、４ａ　流出路
５　チップ
６　取付部
７　ポンプ
８　ヘッド
８ａ　吐出口
９　取付部
１０　容器
【図１】
2004018087.tif 000003
【図２】
2004018087.tif 000004
【図３】
2004018087.tif 000005
【図４】
2004018087.tif 000006
【図５】
2004018087.tif 000007